【事件の表示】
　平成　５年特許願第２８３０６１号「表示装置」拒絶査定不服審判事件〔平成　７年　５月２３日出願公開、特開平　７−１３４５７７〕について、次のとおり審決する。
【結　論】
　本件審判の請求は、成り立たない。
【理　由】
１．手続の経緯・本願発明
　本願は、平成５年１１月１２日に出願されたものであって、本願の請求項２に係る発明は、平成１４年９月９日付け手続補正書及び平成１５年１月１４日付け手続補正書により補正された明細書及び図面の記載からみて、特許請求の範囲の請求項１〜３に記載されたとおりのものであって、その請求項２に係る発明（以下、「本願発明」という。）は次のとおりのものと認める。
・本願発明「異なる特性を持つ同期信号と映像信号とで構成する画像信号を発生する複数の信号源からの画像入力に対して，前記特性に対応するモードによる表示のための駆動を行う駆動回路を備えた表示装置において，
　前記駆動回路は，
　それぞれ固有の表示モードの画像信号を発生する複数の信号源からの同期信号と映像信号の対で構成する複数の画像信号が入力され，外部から供給される入力切替信号により前記複数の画像信号の中の何れか一つの同期信号と映像信号の対を選択する選択手段と，
　前記入力切替信号を受け取って入力切替が行われる毎に予め設定された一定時間継続する入力切替制御信号を発生する入力切替制御信号発生手段と，
　前記入力切替制御信号の出力により制御され，黒色レベルを発生する黒レベル発生手段からの信号入力と，前記選択手段で選択された映像信号入力とが供給され，前記入力切替制御信号が発生されないと前記映像信号入力を選択し，前記切替制御信号が発生する期間は黒レベル発生手段からの信号入力を選択して出力する映像信号切替手段とを備え，
　前記映像信号切替手段から発生した映像信号を映像信号処理回路で処理して表示手段へ出力することを特徴とする表示装置。」
 　 
２．引用刊行物記載の発明 
　原査定の拒絶の理由に引用された特開平５−２７７２７号公報（以下、「引用刊行物Ａ」という。）には、 
（Ａ−１）「【産業上の利用分野】本発明は異なったモード又はタイミングの映像信号が混在する多数の入力映像信号を任意に切換えて複数のディスプレイ装置にそれぞれ表示するビデオスイッチ切換え方法及び装置に関する。」（第１欄第３６〜３９行）こと、 
（Ａ−２）「図１は本発明方法及び装置の１実施例の構成を示すブロック図である。図１中、１は互いに異なった走査周波数又はタイミングをもつ複数の映像信号Ｓ１ 〜Ｓｎを入力し，選択信号Ｓｃ１ 〜Ｓｃｎにより所望の映像信号を選択して出力するビデオスイッチマトリックス回路、３Ｄ１ 〜３Ｄｎは該回路１より出力する選択された映像信号を表示する複数の自動走査線調節型（オートスキャンタイプ）ＣＲＴディスプレイ装置である。・・・４は所望の映像信号を選択する指示信号Ｓｉ１ 〜Ｓｉｎを出力するキーボードである。２はこのキーボード４より出力する指示信号Ｓｉ１ 〜Ｓｉｎを入力して所望の映像信号を選択する選択信号Ｓｓ１ 〜Ｓｓｎを出力し，かつ複数の映像信号Ｓ１〜Ｓｎの切換えと同時に一定時間（数１０ｍｓ）、画像消去信号Ｓａ１ 〜Ｓａｎ及び／又は選択された映像信号が最適となる画像サイズ制御信号Ｓｖ１〜Ｓｖｎを別々の伝送路を経てディスプレイ装置３Ｄ１〜３Ｄｎに出力する制御装置である。・・・上記構成の本実施例において定められ範囲の異なった走査周波数をもつ複数の映像信号Ｓ１〜Ｓｎがビデオスイッチマトリックス回路１に入力されており、これらの映像信号Ｓ１ 〜Ｓｎを切換えて複数のＣＲＴディスプレイ装置３Ｄ１ 〜３Ｄｎに表示する場合、キーボード４を操作してこれより出力する指示信号、例えばＳｉ１ を制御装置２に入力し、該指示信号Ｓｉ１ に基づいてこれより出力する選択信号Ｓｓ１ により複数の映像信号Ｓ１〜Ｓｎのうちから該選択信号Ｓｃ１ に応じた映像信号Ｓ１ を切換え選択すると同時に制御装置２より一定時間（数１０ｍｓ）の画像消去信号Ｓａ１を該当するＣＲＴディスプレイ装置３Ｄ１に出力し、該ＣＲＴディスプレイ装置３Ｄ１の走査が入力映像信号Ｓ１ に非同期状態となる数１０ｍｓ間だけ画面が表示されない。・・・このように画像消去信号Ｓａ１がＣＲＴディスプレイ装置３Ｄ１に入力され、非同期期間だけ画面の表示が行われないため、乱れた画面が表示されることはなく、見ぐるしくなることはない。該期間経過後、映像信号Ｓ１ による画面がＣＲＴディスプレイ装置３Ｄ１ に鮮明に表示されることになる。その他の映像信号Ｓ２〜Ｓｎによる画面表示についても同様に説明することができる。」（第３欄第３３行〜第４欄第２２行）こと、
（Ａ−３）「又定められた範囲で互いに異なったタイミングを持つ複数の映像信号Ｓ１ 〜Ｓｎがビデオスイッチマトリックス回路１に入力されており、これらの映像信号Ｓ１〜Ｓｎを切換えて複数のＣＲＴディスプレイ装置３Ｄ１ 〜３Ｄｎに表示する場合、キーボード４を操作してこれより出力する指示信号、例えばＳｉ１ を制御装置２に入力し、該指示信号Ｓｉ１ に基づいてこれより出力する選択信号Ｓｓ１ により複数の映像信号Ｓ１ 〜Ｓｎのうちから該選択信号Ｓｃ１ に応じた映像信号Ｓ１を切換え選択すると同時に制御装置２より選択された映像信号Ｓ１ が最適となる画像サイズ制御信号Ｓｖ１を該当するＣＲＴディスプレイ装置３Ｄ１に入力し、選択された映像信号Ｓ１ が自動的に所望の画像サイズに制御されて該ＣＲＴディスプレイ装置３Ｄ１ に表示されることになる。」（第４欄第２３〜３７行）ことが記載されている。
　上記（Ａ−１）〜（Ａ−３）の記載を参照すると、上記引用刊行物Ａには、
 「互いに異なったモード（走査周波数）又はタイミングをもつ複数の映像信号Ｓ１ 〜Ｓｎを入力し，選択信号Ｓｃ１ 〜Ｓｃｎにより所望の映像信号を選択して表示する複数のＣＲＴディスプレイ装置３Ｄ１ 〜３Ｄｎにおいて、
　複数の映像信号Ｓ１ 〜Ｓｎを入力し，選択信号Ｓｃ１ 〜Ｓｃｎにより所望の映像信号を選択して出力するビデオスイッチマトリックス回路１と、
　キーボード４より出力する指示信号Ｓｉ１〜Ｓｉｎを入力して所望の映像信号を選択する選択信号Ｓｃ１〜Ｓｃｎ（Ｓｓ１〜Ｓｓｎ）を出力し，かつ複数の映像信号Ｓ１ 〜Ｓｎの切換えと同時に一定時間（数１０ｍｓ）、画像消去信号Ｓａ１〜Ｓａｎ及び／又は選択された映像信号が最適となる画像サイズ制御信号Ｓｖ１ 〜ＳｖｎをＣＲＴディスプレイ装置３Ｄ１ 〜３Ｄｎに出力する制御装置２とを備え、
　画像消去信号Ｓａ１〜Ｓａｎが出力されないときはビデオスイッチマトリックス回路１から出力される選択された映像信号をＣＲＴディスプレイ装置３Ｄ１ 〜３Ｄｎの画面に表示し、画像消去信号Ｓａ１〜Ｓａｎが出力されるとＣＲＴディスプレイ装置３Ｄ１〜３Ｄｎの画面が表示されないようにするＣＲＴディスプレイ装置３Ｄ１ 〜３Ｄｎ。」の発明（以下「引用発明」という。）が記載されている。 
　また、同じく、原査定の拒絶の理由に引用された特開平３−７８７９２号公報（以下、「引用刊行物Ｂ」という。）には、 
（Ｂ−１）「本発明は複数の情報を一つのＣＲＴ画面に切り替えて表示するＣＲＴ表示装置に係わり、特には、ＣＲＴ画面切り替え時にも画面が乱れること無く安定に観察の出来る・・・ＣＲＴ表示方法に関する。」（第１頁左下欄第１６行〜右下欄第１行）こと、 
（Ｂ−２）「第１図において、１は観測画面を制御するための制御回路であって観測すべき画面を切り替える時にはセレクト信号がデータセレクタ３４に出され、又、マスク信号が複数の画像用コントローラ２ａ、２ｂ・・・・・・、２ｉ、・・・・・・、２ｎのうち次に表示すべき画像情報の画像用コントローラに出される。データセレクタ３４には各画像情報と各画像に対応した同期信号が複数の記憶回路３ａ、３ｂ・・・・・・、３ｉ、・・・・・・、３ｎと複数の画像用コントローラ２ａ、２ｂ、・・・・・・、２ｉ、・・・・・・、２ｎから入力しており、前述したセレクト信号によってそのうちの特定の画像情報とその情報に対応した同期信号が選択されてＣＲＴ表示部に出力されている。」（第２頁左下欄第１９行〜右下欄第１２行）ことが記載されている。 
　　
３．対比 
　本願発明と引用発明とを対比する。 
　引用発明の「互いに異なったモード（走査周波数）又はタイミング」、「ビデオスイッチマトリックス回路１、制御装置２」、「選択信号Ｓｃ１ 〜Ｓｃｎ」、「ビデオスイッチマトリックス回路１」、「ＣＲＴ」は、それぞれ本願発明の「異なる特性」、「駆動回路」、「入力切替信号」、「選択手段」、「表示手段」に相当する。 
 　さらに、引用発明も「互いに異なったモード（走査周波数）又はタイミングをもつ複数の映像信号Ｓ１〜Ｓｎ」が入力するものであるから、複数の信号源から複数の映像信号Ｓ１ 〜Ｓｎが画像入力が入力されることは明らかである。
　そして、上記引用刊行物Ａの上記（Ａ−３）には「選択された映像信号Ｓ１が自動的に所望の画像サイズに制御されて該ＣＲＴディスプレイ装置３Ｄ１に表示されることになる。」ことが記載されており、引用発明においても、映像信号を処理してＣＲＴの表示手段に出力する「映像信号処理回路」を有するものである。
　また、上記引用刊行物Ａの上記（Ａ−２）には「選択信号Ｓｃ１ に応じた映像信号Ｓ１ を切換え選択すると同時に制御装置２より一定時間（数１０ｍｓ）の画像消去信号Ｓａ１ を該当するＣＲＴディスプレイ装置３Ｄ１ に出力し、該ＣＲＴディスプレイ装置３Ｄ１ の走査が入力映像信号Ｓ１ に非同期状態となる数１０ｍｓ間だけ画面が表示されない。・・・このように画像消去信号Ｓａ１ がＣＲＴディスプレイ装置３Ｄ１ に入力され、非同期期間だけ画面の表示が行われないため、乱れた画面が表示されることはなく、見ぐるしくなることはない。該期間経過後、映像信号Ｓ１による画面がＣＲＴディスプレイ装置３Ｄ１ に鮮明に表示されることになる。」ことが記載されており、さらに、本願明細書の段落番号【００２３】に「このようにして・・・信号源の切替え等が発生すると，予め設定された期間だけ黒等の固定色を表示装置で表示して，信号源の画像や同期回路が安定した時に切替先の乱れのない画像を表示することができる。」ことが記載されていることを考慮すると、引用発明の「画像消去信号Ｓａ１ 〜Ｓａｎを出力する制御装置２」と本願発明の「入力切替制御信号を発生する入力切替制御信号発生手段」はともに「入力切替信号を受け取って入力切替が行われる毎に予め設定された一定時間継続する制御信号を発生する制御信号発生手段」で共通するものである。
　さらに、本願発明の「映像信号切替手段」が「入力切替制御信号が発生されないと映像信号入力を選択し，入力切替制御信号が発生する期間は黒レベル発生手段からの信号入力を選択して出力する」することにより乱れのない画像を表示するようにしていることから、この「映像信号切替手段」は「乱れのない画像を表示する切替手段」と見なすことができる。一方、引用発明も本願発明と同様に「画像消去信号Ｓａ１ 〜Ｓａｎ」の出力がなくなると「映像信号 による画面がＣＲＴディスプレイ装置３Ｄ１に鮮明に表示され」、「画像消去信号Ｓａ１ 〜Ｓａｎ」が出力されると「画面が表示されない」ことにより、乱れた画面が表示されることがないようにしていることから、引用発明においても「乱れのない画像を表示する切替手段」を有するものと解される。
　そうすると、本願発明と引用発明とは、 
　「異なる特性を持つ画像信号を発生する複数の信号源からの画像入力に対して，前記特性に対応するモードによる表示のための駆動を行う駆動回路を備えた表示装置において，
　前記駆動回路は，
　それぞれ固有の表示モードの画像信号を発生する複数の信号源からの複数の画像信号が入力され，外部から供給される入力切替信号により前記複数の画像信号の中の何れか一つの画像信号を選択する選択手段と，
　前記入力切替信号を受け取って入力切替が行われる毎に予め設定された一定時間継続する制御信号を発生する制御信号発生手段と，
　前記制御信号の出力により制御され，前記制御信号が発生されないと前記映像信号を画面に表示し、前記制御信号が発生する期間は乱れのない画像を表示する切替手段とを備え，
　前記切替手段から発生した映像信号を映像信号処理回路で処理して表示手段へ出力することを特徴とする表示装置。」である点で一致し、次の相違点（イ）、（ロ）で相違している。
・相違点（イ）
　本願発明では、画像信号が「同期信号と映像信号の対」で構成され、選択手段が「複数の画像信号の何れか１つの同期信号と映像信号の対」を選択するのに対して、引用発明では画像信号が「映像信号」で構成され、選択手段が「複数の映像信号の何れか１つの映像信号」を選択する点。
・相違点（ロ）
　本願発明では、制御信号を発生する制御信号発生手段が「入力切替制御信号を発生する入力切替制御信号発生手段」であり、乱れのない画像を表示する切替手段が「入力切替制御信号の出力により制御され，黒色レベルを発生する黒レベル発生手段からの信号入力と，選択手段で選択された映像信号入力とが供給され，入力切替制御信号が発生されないと映像信号入力を選択し，入力切替制御信号が発生する期間は黒レベル発生手段からの信号入力を選択して出力する映像信号切替手段」であるのに対して、引用発明では制御信号を発生する制御信号発生手段が「画像消去信号Ｓａ１ 〜Ｓａｎを出力する制御装置２」であり、乱れのない画像を表示する切替手段が「画像消去信号Ｓａ１ 〜Ｓａｎに制御され、画像消去信号Ｓａ１〜Ｓａｎが出力されないとビデオスイッチマトリックス回路１から出力される選択された映像信号をＣＲＴディスプレイ装置３Ｄ１ 〜３Ｄｎの画面に表示し、画像消去信号Ｓａ１〜Ｓａｎが出力されるとＣＲＴディスプレイ装置３Ｄ１ 〜３Ｄｎの画面が表示されないようにする」手段である点。
　　　
４．当審の判断 
　そこで、上記相違点（イ）、（ロ）について判断する。 
・相違点（イ）について 
　上記引用刊行物Ｂには画像情報と同期信号が対となった複数の信号を選択して、ＣＲＴ表示装置のＣＲＴ画面に表示することが記載されており、引用発明のＣＲＴディスプレイ装置３Ｄ１ 〜３Ｄｎも引用刊行物ＢのＣＲＴ表示装置もともにＣＲＴ画面上に複数の表示用の信号を選択して表示するものであることから、引用発明においても表示用の信号として映像信号と同期信号とを対とした信号を用いるとともに、選択手段で選択する信号を複数の画像信号の何れか１つの同期信号と映像信号の対で選択することは当業者が容易になし得るものである。
　
・相違点（ロ）について
　映像信号を切り替え選択したときに生ずるノイズ画面を防止するために映像信号が正常であるかどうかを検出又は判別手段で検出又は判別し、この検出又は判別手段からの出力信号により映像信号と単色信号を切り替え、この出力信号がないときは映像信号を選択し、この出力信号があるときは単色信号を選択して表示装置に出力することは周知であり（例えば特開平２−１０４１７５号公報の第１図、特開平４−１６７８９３号公報の第１図、第４図、特開平４−１９２９７８号公報第１図、第２図参照）、引用発明の「複数の映像信号Ｓ１〜Ｓｎの切換えと同時に制御装置２からの画像消去信号Ｓａ１〜Ｓａｎ」も周知の「映像信号が正常であるかどうかを検出又は判別手段で検出又は判別し、この検出又は判別手段判からの出力信号」も、ともに映像信号を切り替え選択する際に発生する画面の乱れを表示しないようにするための制御信号であるから、引用発明においても制御装置２からの画像消去信号Ｓａ１〜Ｓａｎの出力の制御信号によって画面が表示されないようにする代わりに、制御装置からの画像消去信号Ｓａ１〜Ｓａｎの出力の制御信号を映像信号と単色信号を切り替える制御信号とするとともに、この制御信号が出力されてないときは映像信号を選択し、制御信号が出力されているときは単一色信号を選択して出力することは当業者であれば容易になし得るものである。そして、本願発明では単一色として黒色レベルと限定しているが、黒レベルを採用することにより格別の効果を生ずるものでもないことから、本願発明で単一色として黒色レベルを採用した点は当業者が適宜なし得る設計上の選択事項にすぎないものである。
　　
　そして、本願発明によってもたらされる効果は、上記引用発明、引用刊行物Ｂに記載された発明及び周知の技術から予測される範囲内のものであり、格別のものではない。 
　　
　したがって、本願発明は、引用発明、引用刊行物Ｂに記載された発明及び周知の技術に基づき当業者が容易に発明をすることができたものである。 
  
 ５．むすび 
　以上のとおりであるから、本願発明は、特許法第２９条第２項の規定により特許を受けることができないものであり、その余の請求項に係る発明について検討するまでもなく、本願は、拒絶をすべきものである。 
 　 
　よって、結論のとおり審決する。